(57)【要約】【課題】  短い作業時間で取り付けられ、かつ、室内美観を損なうことがないように取り付けることができ、また、スピーカーで発生する振動が壁面に伝わって異音が生じたりすることがないスピーカーシステムを提供する。【解決手段】  スピーカーシステムは、建物内空間の入隅に沿って配設される建材本体を複数に分割して形成されてスピーカーが取り付けられるキャビネット筒体と、キャビネット筒体に取り付けられる通気性を有する前面パネルと、および／または、キャビネット筒体を建物内空間の入隅に沿って取り付ける取付具と、を備え、このキャビネット筒体は、熱可塑性樹脂と、木粉等セルロース系粉末と、発泡剤と、を含む合成材料を押出成形して形成され、押出成形により形成される際に一体に形成される磁性形成部を備える。【選択図】  図３
2007336391.tif 000002
【特許請求の範囲】
【請求項１】
スピーカーと、建物内空間の入隅に沿って配設される建材本体を複数に分割して形成されて該スピーカーが取り付けられるキャビネット筒体と、該キャビネット筒体に取り付けられる通気性を有する前面パネルと、を備えるスピーカーシステムであって、
該キャビネット筒体が、該前面パネルが取り付けられるキャビネット前面に、押出成形により形成される際に一体に形成される磁性形成部を備え、
該前面パネルが、該キャビネット筒体の前面に該前面パネルを吸着する磁性体を含む吸着部を備え、
該キャビネット筒体の該磁性形成部が、該前面パネルの該吸着部と磁力で接合する、スピーカーシステム。
【請求項２】
前記磁性形成部を除く前記キャビネット筒体が、熱可塑性樹脂と、木粉等セルロース系粉末と、発泡剤と、を含む合成材料を押出成形して形成され、かつ、該磁性形成部が、熱可塑性樹脂の基材と磁性粉とを含む樹脂マグネットを該キャビネット筒体と一体に押出成形して形成され、
該磁性形成部が、該キャビネット筒体が形成された後に直流磁界が印可されて、前記前面パネルの前記吸着部と接合する磁力を保持し、
該前面パネルの該吸着部の前記磁性体が、鉄を含む、
請求項１に記載のスピーカーシステム。
【請求項３】
前記磁性形成部を除く前記キャビネット筒体が、熱可塑性樹脂と、木粉等セルロース系粉末と、発泡剤と、を含む合成材料を押出成形して形成され、かつ、該磁性形成部が、帯状に形成された鉄板を該キャビネット筒体と一体にインサート成形して形成され、
前記前面パネルの前記吸着部の前記磁性体が、着磁されたマグネットである、
請求項１に記載のスピーカーシステム。
【請求項４】
スピーカーと、建物内空間の入隅に沿って配設される建材本体を複数に分割して形成されて該スピーカーが取り付けられるキャビネット筒体と、該キャビネット筒体を建物内空間の入隅に沿って取り付ける取付具と、を備えるスピーカーシステムであって、
該キャビネット筒体が、該取付具が取り付けられるキャビネット背面に、押出成形により形成される際に一体に形成される磁性形成部を備え、
該取付具が、該キャビネット筒体背面に該取付具を吸着する磁性体を含む吸着部を備え、
該キャビネット筒体の該磁性形成部が、該取付具の該吸着部と磁力で接合する、スピーカーシステム。
【請求項５】
前記磁性形成部を除く前記キャビネット筒体が、熱可塑性樹脂と、木粉等セルロース系粉末と、発泡剤と、を含む合成材料を押出成形して形成され、かつ、該磁性形成部が、熱可塑性樹脂の基材と磁性粉とを含む樹脂マグネットを該キャビネット筒体と一体に押出成形して形成され、
該磁性形成部が、該キャビネット筒体が形成された後に直流磁界が印可されて、前記取付具の前記吸着部と、接合する磁力を保持し、
該取付具の該吸着部の前記磁性体が、鉄を含む、
請求項４に記載のスピーカーシステム。
【請求項６】
前記磁性形成部を除く前記キャビネット筒体が、熱可塑性樹脂と、木粉等セルロース系粉末と、発泡剤と、を含む合成材料を押出成形して形成され、かつ、該磁性形成部が、帯状に形成された鉄板を該キャビネット筒体と一体にインサート成形して形成され、
前記取付具の前記吸着部の前記磁性体が、着磁されたマグネットである、
請求項４に記載のスピーカーシステム。
【発明の詳細な説明】
【技術分野】
【０００１】
本発明は、建物内空間の入隅に沿って配設されるスピーカーシステムに関する。
【背景技術】
【０００２】
従来、建物内に設置されるスピーカーシステムとしては、スピーカーを天井や壁に埋め込んだものや、スピーカーを天井から吊り下げるようにしたものが知られている（例えば、特許文献１、２参照）。また、他のスピーカーシステムとしては、隣接する壁と天井との三面で形成されるコーナーにスピーカーを取り付けたものも知られている（例えば、特許文献３参照）。
【０００３】
また、従来には、スピーカーが露出することで室内美観を損ねるという問題を解消するスピーカーシステムとして、例えば壁と天井の交差する天井側入隅に沿ってパネルを配設すると共に、このパネルを壁と天井に跨るように取り付けて、このパネルにスピーカーを取り付け、このスピーカーの前面を前面パネル（カバー、保護ネット）で覆うようにしたものが知られている（例えば、特許文献４、５参照）。
【０００４】
また、従来には、スピーカーの前面パネルに金属材（磁性体）が含まれ、キャビネットに磁石を取り付けて、金属材と磁石の間に働く磁力で前面パネルを脱着するスピーカーシステムがある（例えば、特許文献６、７参照）。また、スピーカーシステムの形態に合わせてさまざまな形態の取付具が提案されているなかで、特に、磁性体からなる取付部にスピーカーの駆動用磁石の背面部を吸着固定するものがある（例えば、特許文献８参照）。
【０００５】
【特許文献１】特開２００４−８１５３７号公報
【特許文献２】特開２００３−２３９５０６号公報
【特許文献３】実公平７−２４８６７号公報
【特許文献４】特開平６−１４９２６５号公報
【特許文献５】実用新案登録第２５６４１９８号公報（実開平５−５７２２１号公報）
【特許文献６】特開昭５９−２５４９９号公報
【特許文献７】実開平６−５４３８９号公報
【特許文献８】実開昭６２−２１６９４号公報
【０００６】
しかしながら、建物内空間の入隅にスピーカーシステムを取り付ける場合には、短い作業時間で取り付けが可能で、かつ、スピーカーの前面を前面パネルで覆って室内美観を満たすためには、さらに前面パネルの脱着が容易で、取り付けが簡易なスピーカーシステムが求められている。また、スピーカーシステムは、落下しないように壁面に強固に取り付けられなければならない一方で、スピーカーで発生する振動が壁面に伝わって異音が生じたりすることがないように取り付けるのが好ましい。
【発明の開示】
【発明が解決しようとする課題】
【０００７】
本発明は、上記の従来技術が有する問題を解決するためになされたものであり、その目的は、建物内空間の入隅に取り付けるスピーカーシステムであって、短い作業時間で取り付けられ、かつ、室内美観を満たすように取り付けることができ、また、スピーカーで発生する振動が壁面に伝わって異音が生じたりすることがないスピーカーシステムを提供することにある。
【課題を解決するための手段】
【０００８】
本発明のスピーカーシステムは、スピーカーと、建物内空間の入隅に沿って配設される建材本体を複数に分割して形成されて該スピーカーが取り付けられるキャビネット筒体と、キャビネット筒体に取り付けられる通気性を有する前面パネルと、を備えるスピーカーシステムであって、キャビネット筒体が、前面パネルが取り付けられるキャビネット前面に、押出成形により形成される際に一体に形成される磁性形成部を備え、前面パネルが、キャビネット筒体の前面に前面パネルを吸着する磁性体を含む吸着部を備え、キャビネット筒体の磁性形成部が、前面パネルの吸着部と磁力で接合する。
【０００９】
好ましくは、本発明のスピーカーシステムは、磁性形成部を除くキャビネット筒体が、熱可塑性樹脂と、木粉等セルロース系粉末と、発泡剤と、を含む合成材料を押出成形して形成され、かつ、磁性形成部が、熱可塑性樹脂の基材と磁性粉とを含む樹脂マグネットをキャビネット筒体と一体に押出成形して形成され、磁性形成部が、キャビネット筒体が形成された後に直流磁界が印可されて、前面パネルの吸着部と接合する磁力を保持し、前面パネルの吸着部の磁性体が、鉄を含む。
【００１０】
また、好ましくは、本発明のスピーカーシステムは、磁性形成部を除くキャビネット筒体が、熱可塑性樹脂と、木粉等セルロース系粉末と、発泡剤と、を含む合成材料を押出成形して形成され、かつ、磁性形成部が、帯状に形成された鉄板をキャビネット筒体と一体にインサート成形して形成され、前面パネルの吸着部の磁性体が、着磁されたマグネットである。
【００１１】
また、本発明のスピーカーシステムは、スピーカーと、建物内空間の入隅に沿って配設される建材本体を複数に分割して形成されてスピーカーが取り付けられるキャビネット筒体と、キャビネット筒体を建物内空間の入隅に沿って取り付ける取付具と、を備えるスピーカーシステムであって、キャビネット筒体が、取付具が取り付けられるキャビネット背面に、押出成形により形成される際に一体に形成される磁性形成部を備え、取付具が、キャビネット筒体背面に取付具を吸着する磁性体を含む吸着部を備え、キャビネット筒体の磁性形成部が、取付具の吸着部と磁力で接合する。
【００１２】
また、好ましくは、本発明のスピーカーシステムは、磁性形成部を除くキャビネット筒体が、熱可塑性樹脂と、木粉等セルロース系粉末と、発泡剤と、を含む合成材料を押出成形して形成され、かつ、磁性形成部が、熱可塑性樹脂の基材と磁性粉とを含む樹脂マグネットをキャビネット筒体と一体に押出成形して形成され、磁性形成部が、キャビネット筒体が形成された後に直流磁界が印可されて、取付具の吸着部と、接合する磁力を保持し、取付具の吸着部の磁性体が、鉄を含む。
【００１３】
また、好ましくは、本発明のスピーカーシステムは、磁性形成部を除くキャビネット筒体が、熱可塑性樹脂と、木粉等セルロース系粉末と、発泡剤と、を含む合成材料を押出成形して形成され、かつ、磁性形成部が、帯状に形成された鉄板をキャビネット筒体と一体にインサート成形して形成され、取付具の吸着部の磁性体が、着磁されたマグネットである。
【００１４】
以下、本発明の作用について説明する。
【００１５】
本発明のスピーカーシステムは、スピーカーと、建物内空間の入隅に沿って配設される建材本体を複数に分割して形成されてスピーカーが取り付けられるキャビネット筒体と、キャビネット筒体に取り付けられる通気性を有する前面パネルと、および／または、キャビネット筒体を建物内空間の入隅に沿って取り付ける取付具と、を備える。このキャビネット筒体は、熱可塑性樹脂と、木粉等セルロース系粉末と、発泡剤と、を含む合成材料を押出成形して形成され、押出成形により形成される際に一体に形成される磁性形成部を備える。
【００１６】
ここで、キャビネット筒体に形成される磁性形成部は、前面パネルの吸着部と磁力で接合する。すなわち、前面パネルが取り付けられるキャビネット前面に磁性形成部が形成される場合には、前面パネルを磁力でキャビネット前面に取り付けるので、簡単に前面パネルの脱着が可能になり、容易にスピーカーの前面を保護し室内美観を満たすことができる。
【００１７】
また、キャビネット筒体に形成される磁性形成部は、取付具の吸着部と磁力で接合する。すなわち、取付具が取り付けられるキャビネット背面に磁性形成部が形成される場合には、取付具の吸着部と磁力で接合するので、スピーカーシステムを建物内空間の入隅に短い作業時間で取り付けられ、かつ、スピーカーで発生する振動が壁面に伝わって異音が生じたりすることがないように取り付けることができる。キャビネット筒体と取り付け具の間には磁力が働いているので、スピーカーで発生した振動がキャビネット筒体を振動させたとしても、相互に働く磁力が取付具の吸着部に接合させるので、振動による異音等が発生しない。
【００１８】
具体的には、磁性形成部を除くキャビネット筒体が、熱可塑性樹脂と、木粉等セルロース系粉末と、発泡剤と、を含む合成材料を押出成形して形成され、かつ、磁性形成部が、熱可塑性樹脂の基材と磁性粉とを含む樹脂マグネットをキャビネット筒体と一体に押出成形して形成される。磁性形成部は、キャビネット筒体が形成された後に直流磁界が印可されて、前面パネルの吸着部、もしくは、取付具の吸着部と接合する磁力を保持する。この場合には、前面パネルの吸着部の磁性体が鉄を含むか、取付具の吸着部の磁性体が鉄を含んでいればよく、キャビネット筒体に、前面パネルもしくは取付具が容易に取り付けられる。なお、磁性形成部は、キャビネット筒体が押出成形して形成された筒状空間に、熱可塑性樹脂の基材と磁性粉とを含む樹脂マグネットを注入して形成する場合を含む。
【００１９】
あるいは、磁性形成部を除くキャビネット筒体が、熱可塑性樹脂と、木粉等セルロース系粉末と、発泡剤と、を含む合成材料を押出成形して形成され、かつ、磁性形成部が、帯状に形成された鉄板をキャビネット筒体と一体にインサート成形して形成される。この場合には、前面パネルの吸着部の磁性体は、着磁されたマグネットであれば、キャビネット筒体に前面パネルが容易に取り付けられる。また、取付具の吸着部の磁性体は、着磁されたマグネットであれば、キャビネット筒体は、つまり、スピーカーシステムは、取付具を介して建物内空間の入隅に短い作業時間で取り付けられる。スピーカーシステムを取り付ける作業者は、スピーカーシステムを建物内空間の入隅に沿って、短い作業時間で、かつ、室内美観を満たすように取り付けることができる。なお、磁性形成部は、キャビネット筒体が押出成形して形成された筒状空間に、鉄板を挿入して接着固定して形成する場合を含む。
【発明の効果】
【００２０】
本発明のスピーカーシステムは、建物内空間の入隅に取り付けるスピーカーシステムを、短い作業時間で取り付けられ、かつ、室内美観を満たすように取り付けることができ、また、スピーカーで発生する振動が壁面に伝わって異音が生じたりすることがないようにできる。
【発明を実施するための最良の形態】
【００２１】
本発明のスピーカーシステムは、建物内空間の入隅に取り付けるスピーカーシステムを、短い作業時間で取り付けられ、かつ、室内美観を満たすように取り付けることができ、また、スピーカーで発生する振動が壁面に伝わって異音が生じたりすることがないようにするという目的を、キャビネット筒体を、熱可塑性樹脂と、木粉等セルロース系粉末と、発泡剤と、を含む合成材料を押出成形して形成し、押出成形により形成される際に一体に形成される磁性形成部を備え、キャビネット筒体に形成される磁性形成部は、前面パネルの吸着部と磁力で接合する、および／または、取付具の吸着部と磁力で接合することにより、実現した。
【００２２】
以下、本発明の好ましい実施形態によるスピーカーシステムについて説明するが、本発明はこれらの実施形態には限定されない。
【実施例１】
【００２３】
図１は、建物の一部である居室と、それに取り付ける本発明の好ましい実施形態によるスピーカーシステムについて説明する図である。居室（建物内空間）は略方形状であり、図１（ａ）は、その内部から一方の壁面２の方向を見た概観図である。壁面２の左右には壁面３および４が、壁面２の上下には天井１および床面５が形成されている。例えば、壁面２には映像表示器９が設置されており、居室内の視聴者に映像を再生する。そして、天井１と壁２、３および４とが交差するコーナーには天井側入隅がそれぞれ形成されており、これらの天井側入隅には、スピーカーシステム６、７および８が設置されており、居室内の視聴者に音声を再生する。なお、図示しない居室の他の入隅、つまり、天井１と壁２に対抗する反対面の壁とが交差するコーナーの天井側入隅にも、スピーカーシステムを配置してもよい。
【００２４】
図１（ｂ）は、図１（ａ）の天井１と壁面２とが形成する天井側入隅に配置されるスピーカーシステム６を説明する一部拡大図である。スピーカーシステム６は、樹脂を押し出し成形することにより形成されている建物用建材を複数に分割して形成されたキャビネットを備え、音声を再生する一方で、天井側入隅に沿って配設される廻り縁として機能するスピーカーシステムである。スピーカーシステム６は、後述するように、押出成形されたキャビネットの前面を覆う通気性を有する前面パネルを備え、居室内の視聴者からはこの前面パネルが主に露出している。スピーカーシステム６を入隅に取り付けるには、作業者が、居室の内側からネジ等を使って天井１もしくは壁面２に（図示しない）取付具を螺着して取り付け、スピーカーシステム６をこの取付具に取り付ける。他のスピーカーシステム７および８についても、同様である。
【００２５】
このスピーカーシステムのキャビネットは、音質を改善するためにＡＢＳ樹脂に１〜数十％の木粉が混ぜられた材料、並びに、成形時に発泡する発泡剤を含む材料を押し出し成形により形成する。この木粉は、新しい木材から作ることもできるが、廃材等を利用して作ることもできる。また、前面パネルは、代表的には、凹凸を有する押出成形材に通気孔を設けたグリルに、この通気孔をサランネット等の織布で覆ったネットグリルや、折り曲げ加工したパンチングネットである。
【００２６】
図２は、更に詳しく本発明の好ましい実施形態によるスピーカーシステム１０の構成について説明する斜視図である。例えば、図２（ａ）で示すように、天井側入隅に配置されるスピーカーシステム１０は、押出形状が同一の複数のキャビネット１１、１２、１３、１４および１５が、相互に連結して構成されている。図２（ｂ）は、このスピーカーシステム１０を構成の一部を展開して説明する斜視図である。複数のキャビネット１１、１２、１３、１４および１５の前面側には、それぞれ前面パネル３１、３２、３３、３４および３５が、それぞれのキャビネットの前面側を覆うように取り付けられている。キャビネット１１、１２および１３には、それぞれ電気音響変換ユニット２１、２２、もしくは、２３が取り付けられ、音声を再生するスピーカーが構成されている。例えば、電気音響変換ユニット２１は、スピーカー２１ａと、高音用ツィーター２１ｂと、ダクト兼ターミナル２１ｃと、がキャビネット１１の前面側に設けられた開口に取り付けられており、音声を再生するスピーカーを構成する。また、ダクト兼ターミナル２１ｃは、キャビネット１１の内と外の空間を連通するバスレフダクトと、配線接続用のターミナルとを備えている。一方で、キャビネット１４および１５には、電気音響変換ユニットは取り付けられない。つまり、このスピーカーシステム１０の場合には、音声を再生するスピーカーと、音声を再生しないキャビネットとが、相互に連結して構成されている。
【００２７】
隣接するキャビネット同士は、後述する連結部材によって連結される。例えば、キャビネット１１の左側に位置するキャビネット１２は、隣接する対向端部同士を連結する連結部材４１により連結される。同様に、連結部材４１と同一形状の連結部材４２がキャビネット１１と１３を、連結部材４３がキャビネット１４と１２を、連結部材４４がキャビネット１３と１５を連結している。また、スピーカーシステムの両端、つまり、連結部材が嵌合しない終端部には、後述する第１終端固定部材および第２終端固定部材が嵌合される。図２（ｂ）のスピーカーシステム１０では、キャビネット１４の左端に第１終端固定部材５１と、キャビネット１５の右端に第２終端固定部材５２と、が取り付けられている。その結果、連結されて構成されたスピーカーシステム１０は、天井側入隅に沿うような直線状に形成され、室内美観を改善する廻り縁として機能する。
【００２８】
なお、スピーカーシステム１０の構成は、複数のキャビネット１１〜１５が、相互に連結して構成されている場合に限られるものではない。図２の例に限定されるものではなく、複数のキャビネットが連結部材で連結していればよい。また、いずれかのキャビネットに電気音響変換するスピーカーユニットが取り付けられていればよい。また、ダクト兼ターミナル２１ｃに代えて、別々に形成されたバスレフダクトならびにターミナルをそれぞれ取り付けても良い。
【００２９】
図３は、スピーカーシステム１０の構成について説明する図であり、図３（ａ）は、天井側入隅に沿うように、取付具およびネジによって取り付けられたスピーカーシステム１０の図１（ａ）におけるＡ−Ａ’側方断面図、図３（ｂ）は、キャビネット１１の背面側斜視図である。図３（ａ）では、Ａ−Ａ’断面のキャビネット１１および前面パネル３１の破断面がハッチングされて表されており、キャビネット１１に取り付けられるスピーカーユニット２１ａと、後述する内部蓋６１ａと、キャビネット１１の左側に連結する連結部材４１と、後述する取付具７１ａ、７１ｂおよびネジ５０とが、側面視されている。天井１および壁面２が図示するような材厚が薄い内壁材料の場合には、内壁材料の裏に沿わせる補強柱材（根太、等）を設けて、その補強柱材にネジ５０が螺合するのが好ましい。
【００３０】
また、連結部材４１は、例えば、ＡＢＳ樹脂を射出成形して形成され、キャビネットの端部を吸着する仕切壁部と、仕切壁部から突設されてキャビネットの端部に嵌合する嵌合突起を備え、隣接するキャビネット同士を連結する。好ましくは、連結部材４１は、図４（ｂ）に示されるようなキャビネットの配線溝部に連通する配線孔（もしくは配線用切欠）４１ｈを有していてもよく、配線孔４１は、スピーカーのターミナルに音声信号を伝送する配線２０を収容する。連結部材は、キャビネット１１のバッフル面１１ａおよびキャビネット後面１１ｄで囲まれた空間の左側端部を閉塞する場合には、バッフル面１１ａおよびキャビネット後面１１ｄで囲まれた空間を、スピーカーの背面に連結される音響的な容量として機能させる。
【００３１】
押出成形されるキャビネット１１の断面形状は、バッフル面１１ａと、下側フランジ１１ｂと、上側フランジ１１ｃと、キャビネット後面１１ｄとから構成される。バッフル面１１ａおよびキャビネット後面１１ｄで囲まれた空間は、スピーカー２１ａ等が収まる空間を規定している。また、下側フランジ１１ｂは、スピーカーのターミナルに音声信号を伝送する配線２０を収容する配線溝部を規定している。下側フランジ１１ｂおよび上側フランジ１１ｃは、それぞれ前面パネル３１を取り付ける前面パネル取付部を規定している。また、キャビネット後面１１ｄの背面側は、取付具７１ａおよび７１ｂが取り付けられる取付面を規定している。
【００３２】
キャビネット１１の下側フランジ１１ｂ、上側フランジ１１ｃ、および、キャビネット後面１１ｄは、それぞれ押出成形により形成される際に一体に形成される磁性形成部１１ｅ、１１ｆ、および、１１ｇを備える。磁性形成部磁性形成部１１ｅ、１１ｆ、および、１１ｇは、熱可塑性樹脂の基材と磁性粉とを含む樹脂マグネットであり、キャビネット１１が形成された後に直流磁界が印可されて磁力を保持する。磁性形成部１１ｅ、１１ｆ、および、１１ｇは、キャビネット１１が押出形成されるのに伴って形成されるので、キャビネット１１の全長に渡って形成される。
【００３３】
ここで、前面パネル３１は、鉄を含むパンチングネットを折り曲げ加工して成形したものであり、下側フランジ１１ｂおよび上側フランジ１１ｃのそれぞれの吸着部の磁性形成部１１ｅおよび１１ｆに、前面パネル３１の端部の吸着部３１ａおよび３１ｂが磁力で接合する。つまり、磁性形成部１１ｅおよび１１ｆは、前面パネル３１の吸着部と接合する磁力を保持する。磁性形成部１１ｅおよび１１ｆは、必ずしも前面側に露出している必要はなく、その磁力が下側フランジ１１ｂおよび上側フランジ１１ｃの表面に於いて前面パネル３１を接合するのに十分な磁力を有していればよい。磁性形成部を除くキャビネット１１は、熱可塑性樹脂と、木粉等セルロース系粉末と、発泡剤と、を含む合成材料を押出成形して形成されるので、前面パネル３１と磁性形成部１１ｅおよび１１ｆとの間の距離が、大きくなりすぎなければ十分な磁力が生じるからである。その結果、スピーカーシステム１０では、前面パネル３１は、磁力によりキャビネット１１に取り付けられる。
【００３４】
磁性形成部１１ｅおよび１１ｆは、前面パネル３１が落下しないように接合を保持する磁力を有していればよい。磁性形成部１１ｅおよび１１ｆは、キャビネット１１が押出形成されるのに伴って形成されるので、キャビネット１１の全長に渡って形成される。したがって、直流磁界を印可して磁力を与える場合に、キャビネット１１の全長に渡って直流磁界を印可して磁性形成部１１ｅおよび１１ｆを形成してもよいし、また、スポット的に一部の磁性形成部１１ｅおよび１１ｆに直流磁界を印可して磁力を与えてもよい。キャビネット１１の全長に渡って直流磁界を印可して磁力を与える場合には、磁性形成部１１ｅおよび１１ｆの断面積が小さくて単位長さあたりの磁力が弱い場合であっても、前面パネル３１を取り付ける磁力を確保できる。
【００３５】
キャビネット１１〜１５の前面を覆う前面パネル３１〜３５は、キャビネット１１〜１５の長さに対応して長さを変更することにより、左端の第１終端固定部材５１から右端の第２終端固定部材５２まで、スピーカーシステム１０の前面側をほぼ覆うように設計することができる。したがって、スピーカーシステム１０は、天井１および壁面２が形成する天井側入隅を、ほぼ全体に渡って隙間無く覆ってしまうので、室内美観を改善する廻り縁として機能する。さらに、キャビネット１１〜１５に対して、前面パネル３１〜３５を磁力で取り付けてあるので、スピーカーシステム１０を取り付ける作業者は、特別な工具を必要とせずに前面パネル３１〜３５を取り付けることができる。
【００３６】
取付具７１ａは、鉄を含む金属板をプレス加工して形成した壁掛けブラケットであり、キャビネット１１のキャビネット後面１１ｄの上部に接着剤もしくは融着により固着される。取付具７１ａは、ネジ５０のネジ頭が貫通する貫通孔を備え、壁面２に螺着されたネジ５０のネジ頭が貫通孔に係合することにより、キャビネット１１を壁面２に取り付ける。図３（ａ）および図３（ｂ）で示されるように、キャビネット１１のキャビネット後面１１ｄは、壁掛けブラケット７１ａが取り付けられている部分で、ネジ５０のネジ頭が収容される溝を備えていてもよい。また、取付具７１ａの形状はこれに限られるものではない。キャビネット後面１１ｄに設けられるネジ５０のネジ頭が収容される溝に嵌合する壁掛けブラケットであってもよい。
【００３７】
取付具７１ｂも、鉄を含む金属板をプレス加工して形成した壁掛けブラケットであり、こちらは壁面２にネジ５０で螺着され、壁掛けブラケット７１ｂの凸部７１ｃがキャビネット１１のキャビネット後面１１ｄの下部に当接する。このとき、キャビネット後面１１ｄには、磁性形成部１１ｇが押出成形により形成される際に一体に形成されているので、磁性形成部１１ｇの磁力が壁掛けブラケット７１ｂの凸部７１ｃに作用する。その結果、たとえ、スピーカー２１で発生した振動がキャビネット１１を伝搬して壁面２に伝わったとしても、キャビネット後面１１ｄと壁掛けブラケット７１ｂの凸部７１ｃとは、磁力で強く接合しており、キャビネット後面１１ｄと壁掛けブラケット７１ｂとの間で振動による異音を発生しない。したがって、スピーカーシステム１０は、天井１および壁面２の入隅に沿って取り付けられる場合に、キャビネット後面と壁掛けブラケットとが磁力で強く接合しており、スピーカー２１〜２２で発生する振動を原因とする異音を発生しにくくできる。
【００３８】
スピーカーシステム１０を天井側入隅に沿うように取り付ける作業者は、取付具７１ａに係合するネジ５０と、取付具７１ｂとを、予め壁面２の所定の位置にドライバー等を使用して取り付けておけば、キャビネット１１を容易に取り付けることができる。他のキャビネット１２〜１５についても、同様に（図示しない取付具７２ａ〜７５ｂを用いて）容易に壁面２に取り付けることができ、取り付け作業時間が短縮できる。スピーカーシステム１０をこのような取付方法が可能な構成とすることにより、作業者は、建物内空間の入隅に沿って、簡単に短い作業時間で、かつ、室内美観を損なわないように取り付けることができる。
【００３９】
スピーカーシステム１０は、それぞれのキャビネット１１〜１５が下側フランジ１１ｂにより規定される配線溝部を備え、かつ、それぞれの連結部材４１〜４４が配線溝部に連通する配線孔（もしくは配線用切欠）を備え、また、第１終端固定部材５１および第２終端固定部材５２も配線溝部に連通する配線孔（もしくは配線用切欠）を備える。相互に連通する配線溝部および配線孔は、それぞれのスピーカーのターミナルに音声信号を伝送する配線２０を収容することができる。また、スピーカーシステム１０の配線溝部および配線孔は、前面パネル３１〜３５に覆われて露出しない。前面パネル３１〜３５は、キャビネット１１〜１５の前面側にそれぞれ取り付けられ、それぞれの連結部材４１〜４４ならびに第１終端固定部材５１および第２終端固定部材５２を覆う形状に形成されている。居室内の視聴者には、天井１および壁面２が形成する天井側入隅をほぼ全体に渡って隙間無く覆う前面パネル３１〜３５が露出することになる。したがって、スピーカーシステム１０では、キャビネットと連結部材のみならず、配線２０も露出せずに、室内美観を損なわないようにできる。
【００４０】
図４は、スピーカーシステム１０の他の実施例を説明する側方断面図である。図３と同様に、スピーカーシステム１０は、天井側入隅に沿うように取付具およびネジ５０によって取り付けられる。図４の場合でも、Ａ−Ａ’断面のキャビネット１１および前面パネル３１の破断面がハッチングされて表されており、共通する部分の説明は省略する。
【００４１】
キャビネット１１の下側フランジ１１ｂ、上側フランジ１１ｃ、および、キャビネット後面１１ｄは、それぞれ押出成形により形成される際に一体に形成される磁性形成部１１ｅ、１１ｆ、および、１１ｇを備え、本実施例では、磁性形成部磁性形成部１１ｅ、１１ｆ、および、１１ｇは、帯状に形成された鉄板をキャビネット筒体と一体にインサート成形して形成された鉄板である。磁性形成部１１ｅおよび１１ｆは、キャビネット１１が押出形成されるのに伴って形成されるので、キャビネット１１の全長に渡って形成される。キャビネット１１の磁性形成部１１ｅ、１１ｆ、および、１１ｇに磁力を備えるマグネットを近づけると、マグネットはキャビネット１１の表面に、作用する磁力で強く接合する。
【００４２】
また、本実施例では、前面パネル３１は、鉄を含むパンチングネットを折り曲げ加工して成形したものであり、その端部に、着磁されたマグネットからなる吸着部３１ａおよび３１ｂを有する。吸着部３１ａおよび３１ｂのマグネットは、前面パネル３１が落下しないように接合を保持する磁力を有していれば、小型で強力な磁力を備えるマグネットであってもよく、必ずしもキャビネット１１の全長に渡って設けられなくてよい。したがって、下側フランジ１１ｂおよび上側フランジ１１ｃのそれぞれの吸着部の磁性形成部１１ｅおよび１１ｆに、前面パネル３１その端部の吸着部３１ａおよび３１ｂが磁力で接合し、その結果、前面パネル３１は、磁力によりキャビネット１１に取り付けられる。
【００４３】
本実施例の図４の取付具７１ｂは、鉄を含む金属板をプレス加工して形成した壁掛けブラケットであり、図３の場合に比べて、キャビネット後面１１ｄと当接する凸部７１ｃが、マグネットから構成されている。したがって、キャビネット後面１１ｄに形成される磁性形成部１１ｇと、壁掛けブラケット７１ｂの凸部７１ｃのマグネットとは、マグネットの磁力が作用するので、強く接合する。その結果、たとえ、スピーカー２１で発生した振動がキャビネット１１を伝搬して壁面２に伝わったとしても、キャビネット後面１１ｄと壁掛けブラケット７１ｂとの間で振動による異音を発生しない。
【００４４】
したがって、スピーカーシステム１０を天井側入隅に沿うように取り付ける作業者は、取付具７１ａに係合するネジ５０と、取付具７１ｂとを、予め壁面２の所定の位置にドライバー等を使用して取り付けておけば、キャビネット１１を容易に取り付けることができる。他のキャビネット１２〜１５についても、同様に容易に壁面２に取り付けることができ、取り付け作業時間が短縮できる。
【００４５】
なお、前面パネル３１は、鉄を含むパンチングネットを折り曲げ加工して成形したものに限られない。キャビネット１１の下側フランジ１１ｂおよび上側フランジ１１ｃのそれぞれの吸着部の磁性形成部１１ｅおよび１１ｆに対応する端部に、磁性体もしくはマグネットを備えればよく、前面パネルのその他の枠部が樹脂等の（押出成形を含む）成形品から構成されていてもよい。
【００４６】
なお、前面パネル３１は、鉄を含むパンチングネットを折り曲げ加工して成形したものに限られない。キャビネット１１の下側フランジ１１ｂおよび上側フランジ１１ｃのそれぞれの吸着部の磁性形成部１１ｅおよび１１ｆに対応する端部に、磁性体もしくはマグネットを備えればよく、前面パネルのその他の枠部が樹脂等の（押出成形を含む）成形品から構成されていてもよい。
【００４７】
また、本実施例のスピーカーシステム１０では、キャビネット同士を連結する連結部材は、いわば直線状にキャビネット同士を連結する構成となっているが、本実施例の形態に限定されるものではない。例えば、キャビネット同士を９０度の角度で連結する構成の連結部材であってもよく、スピーカーシステムは、いわばＬ字型に曲がった構成となる。この連結部材の当接連結壁が、例えば、天井１と壁面２および３が形成する居室の入隅のコーナー部に当接すると、スピーカーシステムは、居室の入隅をそのコーナー部を含めて隙間無く覆うので、室内美観を損なわない。
【産業上の利用可能性】
【００４８】
本発明の建物内空間の入隅に沿って配設されるスピーカーシステム、および、このスピーカーシステムを取り付ける取付方法は、スピーカーのみならず、天井面や壁面に埋め込む機器を取り付ける構造にも適用が可能である。
【図面の簡単な説明】
【００４９】
【図１】建物の一部である居室と、それに取り付ける本発明の好ましい実施形態によるスピーカーシステムについて説明する図である。
【図２】本発明の好ましい実施形態によるスピーカーシステム１０の構成について説明する斜視図である。
【図３】本発明の好ましい実施形態によるスピーカーシステム１０の構成について説明する図である。
【図４】本発明の他の好ましい実施形態によるスピーカーシステム１０のＡ−Ａ’側方断面図である。
【符号の説明】
【００５０】
１            天井
２〜４        壁面
５            床面
６〜８、１０  スピーカーシステム
１１〜１５    キャビネット
１１ｅ、１１ｆ、１１ｇ  磁性形成部
２１〜２３    スピーカーユニット、ダクト、ターミナル
３１〜３５    前面パネル
３１ａ、３１ｂ  吸着部（マグネット）
４１〜４４    連結部材
５０          ネジ
５１          第１終端固定部材
５２          第２終端固定部材
７１ａ、７１ｂ    取付具
【図２】
2007336391.tif 000003
【図３】
2007336391.tif 000004
【図４】
2007336391.tif 000005
【図１】
2007336391.tif 000006